(57)【特許請求の範囲】
【請求項１】
アンテナを接続可能な複数のアンテナ接続端子と、
この複数のアンテナ接続端子の中から一つのアンテナ接続端子を選択して、ＯＦＤＭ信号を受信するアンテナを切り替えるアンテナ切替手段と、
前記アンテナ接続端子に接続されたアンテナにより受信されたＯＦＤＭ信号とこのＯＦＤＭ信号を有効シンボル期間遅延した信号との相関値に基づいてシンボルに同期するシンボル同期信号を生成するシンボル同期生成手段と、
このシンボル同期生成手段により生成されたシンボル同期信号からガードインターバル期間と有効シンボル期間に同期する同期クロック信号を生成する同期クロック生成手段と、
前記アンテナ接続端子に接続されたアンテナにより受信されたＯＦＤＭ信号から該ＯＦＤＭ信号の各フレームに対応するフレームナンバーを生成するフレームナンバー生成手段と、
予め定められたフレームナンバーを記憶する記憶手段と、
前記フレームナンバー生成手段により生成されたフレームナンバーと前記記憶手段に記憶された値とを比較し一致したか否かを判断する判断手段と、
この判断手段で、前記フレームナンバー生成手段により生成されたフレームナンバーと前記記憶手段に記憶された値との一致が判定された際に、前記シンボル同期生成手段により生成されたシンボル同期信号を前記同期クロック生成手段により生成されたガードインターバル期間に同期する同期クロックでサンプリングし第１の積算値を求める第１の積算手段と、
前記シンボル同期生成手段により生成されたシンボル同期信号を前記同期クロック生成手段により生成された有効シンボル期間に同期する同期クロックでサンプリングし第２の積算値を求める第２の積算手段と、
前記アンテナ切替手段によりアンテナを切り替えた後に前記シンボル同期生成手段により生成されたシンボル同期信号を前記同期クロック生成手段により生成されたガードインターバル期間に同期する同期クロックでサンプリングし第３の積算値を求める第３の積算手段と、
前記シンボル同期生成手段により生成されたシンボル同期信号を前記同期クロック生成手段により生成された有効シンボル期間に同期する同期クロックでサンプリングし第４の積算値を求める第４の積算手段と、
前記第１から第４の積算手段により求められた該第１から第４の積算値に基づいてアンテナを切り替えるか否かを判断するアンテナ切替判断手段と、
このアンテナ切替判断手段によりアンテナを切り替えると判断された際に、前記シンボル同期生成手段により生成されたシンボル同期信号に同期したタイミングで前記アンテナ切替手段によりアンテナを切り替えることを特徴とするＯＦＤＭ受信装置。
【請求項２】
前記アンテナ切替判断手段は、
前記第１の積算値から前記第２の積算値を割った値と前記第３の積算値から前記第４の積算値を割った値とを比較する比較手段を備え、
この比較手段によって比較した結果、前記第３の積算値から前記第４の積算値を割った値が前記第１の積算値から前記第２の積算値を割った値よりも小さい場合に前記アンテナ切替手段によりアンテナを切り替えることを特徴とする請求項１記載のＯＦＤＭ受信装置。
【請求項３】
前記アンテナ切替判断手段は、
前記第１の積算値と前記第４の積算値の積の値と、前記第３の積算値と前記第２の積算値の積の値とを比較する比較手段を備え、
この比較手段によって比較した結果、前記第１の積算値と前記第４の積算値の積の値が前記第３の積算値と前記第２の積算値の積の値よりも大きい場合に前記アンテナ切替手段によりアンテナを切り替えることを特徴とする請求項１記載のＯＦＤＭ受信装置。
【請求項４】
前記アンテナ切替手段におけるアンテナの切り替えは、ガードインターバル期間に行われることを特徴とする請求項１記載のＯＦＤＭ受信装置。
【請求項５】
アンテナを接続可能な複数のアンテナ接続端子の中から一つのアンテナ接続端子を選択して、ＯＦＤＭ信号を受信するアンテナを切り替えるアンテナ切替工程と、
前記アンテナ接続端子に接続されたアンテナにより受信されたＯＦＤＭ信号とこのＯＦＤＭ信号を有効シンボル期間遅延した信号との相関値に基づいてシンボルに同期するシンボル同期信号を生成するシンボル同期生成工程と、
このシンボル同期生成工程により生成されたシンボル同期信号からガードインターバル期間と有効シンボル期間に同期する同期クロック信号を生成する同期クロック生成工程と、
前記アンテナ接続端子に接続されたアンテナにより受信されたＯＦＤＭ信号から該ＯＦＤＭ信号の各フレームに対応するフレームナンバーを生成するフレームナンバー生成工程と、
予め定められたフレームナンバーを記憶する記憶工程と、
前記フレームナンバー生成工程により生成されたフレームナンバーと前記記憶工程で記憶された値とを比較し一致したか否かを判断する判断工程と、
この判断工程で、前記フレームナンバー生成工程により生成されたフレームナンバーと前記記憶工程で記憶された値との一致が判定された際に、前記シンボル同期生成工程により生成されたシンボル同期信号を前記同期クロック生成工程により生成されたガードインターバル期間に同期する同期クロックでサンプリングし第１の積算値を求める第１の積算工程と、
前記シンボル同期生成工程により生成されたシンボル同期信号を前記同期クロック生成工程により生成された有効シンボル期間に同期する同期クロックでサンプリングし第２の積算値を求める第２の積算工程と、
前記アンテナ切替工程によりアンテナを切り替えた後に前記シンボル同期生成工程により生成されたシンボル同期信号を前記同期クロック生成工程により生成されたガードインターバル期間に同期する同期クロックでサンプリングし第３の積算値を求める第３の積算工程と、
前記シンボル同期生成工程により生成されたシンボル同期信号を前記同期クロック生成工程により生成された有効シンボル期間に同期する同期クロックでサンプリングし第４の積算値を求める第４の積算工程と、
前記第１から第４の積算工程により求められた該第１から第４の積算値に基づいてアンテナを切り替えるか否かを判断するアンテナ切替判断工程と、
このアンテナ切替判断工程によりアンテナを切り替えると判断された際に、前記シンボル同期生成工程により生成されたシンボル同期信号に同期したタイミングで前記アンテナ切替工程によりアンテナを切り替えることを特徴とするＯＦＤＭ受信方法。
【請求項６】
前記アンテナ切替判断工程は、
前記第１の積算値から前記第２の積算値を割った値と前記第３の積算値から前記第４の積算値を割った値とを比較する比較工程を含み、
この比較工程によって比較した結果、前記第３の積算値から前記第４の積算値を割った値が前記第１の積算値から前記第２の積算値を割った値よりも小さい場合に前記アンテナ切替工程によりアンテナを切り替えることを特徴とする請求項５記載のＯＦＤＭ受信方法。
【請求項７】
前記アンテナ切替判断工程は、
前記第１の積算値と前記第４の積算値の積の値と、前記第３の積算値と前記第２の積算値の積の値とを比較する比較工程を含み、
この比較工程によって比較した結果、前記第１の積算値と前記第４の積算値の積の値が前記第３の積算値と前記第２の積算値の積の値よりも大きい場合に前記アンテナ切替工程によりアンテナを切り替えることを特徴とする請求項５記載のＯＦＤＭ受信方法。
【請求項８】
前記アンテナ切替工程におけるアンテナの切り替えは、ガードインターバル期間に行われることを特徴とする請求項５記載のＯＦＤＭ受信方法。
【発明の詳細な説明】
【技術分野】
【０００１】
本発明は、ＯＦＤＭ受信装置、ＯＦＤＭ受信方法及び地上波デジタル受信装置に関し、特にアンテナダイバシティを適用するＯＦＤＭ受信装置、ＯＦＤＭ受信方法及び地上波デジタル受信装置に関する。
【背景技術】
【０００２】
地上波デジタル放送の変調方式は、ＯＦＤＭ（Orthogonal Frequency Division
Multiplexing：直交周波数分割多重）である。ＯＦＤＭはマルチキャリア方式、すなわち、多数の搬送波（キャリア）で情報を伝送する変調方式の一形態でもあるので、単一キャリア方式に比べて伝送路の影響（特にマルチパス）を受けにくく、しかも、ＯＦＤＭは、シンボル（伝送情報の１単位）の先頭部分にガードインターバルと呼ばれる緩衝期間を持つため、この点においてもマルチパスに強いとされている。
【０００３】
しかしながら、たとえば、高速走行中の車両内といった過酷な環境下で用いられる可能性が高い移動型のＯＦＤＭ受信装置にあっては、ＯＦＤＭが本来持つ上記の機能（マルチキャリアやガードインターバル）だけでは不十分である。このため、他のマルチパス対策技術の併用、典型的にはアンテナダイバシティを適用することが行われている。
【０００４】
アンテナダイバシティを適用するＯＦＤＭ受信装置としては、たとえば、下記の特許文献１に記載された技術（以下、従来技術）が知られている。この従来技術では、複数のアンテナでＯＦＤＭ信号を受信し、アンテナ毎のＯＦＤＭ信号をＩＦ帯にダウンコンバートした各ＯＦＤＭ信号と、それらのＯＦＤＭ信号を１有効シンボル分遅延した遅延ＯＦＤＭ信号との相関値を求めて、その相関値からＣＮ比（受信点における付加雑音電力と信号電力の比；Carrier to Noise Ratio）を算出し、各ブランチ回路から得られる同番号のキャリア信号の中からＣＮ比が最も高い等化キャリア信号を選択して復号している。
【０００５】
ここで、従来技術は、上記のとおり、「アンテナ毎のＯＦＤＭ信号をＩＦ帯にダウンコンバートした各ＯＦＤＭ信号と、それらのＯＦＤＭ信号を１有効シンボル分遅延した遅延ＯＦＤＭ信号との相関値を求めて、その相関値からＣＮ比を算出」するものであるが、このことは、端的に言えば、「ガードインターバルの情報を利用」しているものと解される。
【０００６】
図８（ａ）は、ガードインターバルの概念図である。今、図示のように時間的に連続する三つのシンボル（Ｋ−１、Ｋ、Ｋ＋１）を考える。Ｋは現在のシンボル、Ｋ−１は時間的に一つ前のシンボル、Ｋ＋１は時間的に一つ後のシンボルである。各々のシンボル期間Ｔの長さは一定であり、たとえば、地上波デジタル放送のシンボル期間Ｔの長さは１．００８μｓ（ただし、モード３の場合）である。すべてのシンボルは、伝送情報が収められた有効シンボル期間Ｔｕと、その有効シンボル期間Ｔｕの頭に付加された一定長のガードインターバル期間Ｔｇ（ハッチング部分）とからなり、各シンボルのガードインターバル期間Ｔｇには、そのガードインターバル期間Ｔｇの後ろに続く有効シンボル期間Ｔｕの一部（後部）の情報がコピーされている。
【０００７】
図８（ｂ）は、従来技術におけるガードインターバル情報の利用概念図である。この図において、非遅延シンボルと遅延シンボルは同じシンボル（たとえば、シンボルＫ）である。シンボルＫを所定時間（Ｔ−Ｔｇ）だけ遅延させたものが遅延シンボルである。この遅延シンボルは従来技術における「遅延ＯＦＤＭ信号」に相当する。さて、これら二つのシンボル（非遅延シンボルと遅延シンボル）の相関性を評価すると、その評価値は、非遅延シンボルの有効シンボルの後部と、遅延シンボルのガードインターバル期間Ｔｇとの重畳期間（イとロの重畳期間）で大きな値を示す。これは、イとロの情報が元々同一だからである。
【０００８】
上記の従来技術は、このような原理に基づき、イとロの情報の相関性を評価してＣＮ比が最も高い等化キャリア信号を選択・復号しているものと解される。
【０００９】
【特許文献１】特開２００３−２２９８３０号公報
【発明の開示】
【発明が解決しようとする課題】
【００１０】
しかしながら、上記の従来技術は、次の二つの問題点を指摘することができる。まず、第一に、従来技術のダイバシティは、複数のアンテナで受信した信号の中から最もＣＮ比のよい信号を選択するという、いわゆる合成ダイバシティに相当するものである。この合成ダイバシティは複数のアンテナを切り替える方式（選択ダイバシティ）に比べて性能的に優れているものの、ハードウェア規模が大きくなるというデメリットをもつ。したがって、装置重量の増加、電力消費量のアップ、製造コストの増大といった諸問題の発生を否めない。
【００１１】
第二に、従来技術は、相関性の評価をガードインターバル期間Ｔｇでのみ行っており、言い換えれば、それ以外の期間（有効シンボル期間Ｔｕ）で評価を行っていない。このため、たとえば、有効シンボル期間Ｔｇ内で急に伝送路の状態が変化した場合、それに即座に対応することができず、瞬時的なシンボル喪失を招くことがあるという問題点がある。この問題点は、とりわけ高速移動中の車内で用いられる可能性があるＯＦＤＭ受信装置にとって看過できない。移動速度に対応した短い時間で伝送路の特性が大きく変動するからである。
【００１２】
そこで、本発明は、上記の第一及び第二の問題点に鑑みてなされたものであり、ハードウェア規模の増大を招かない選択ダイバシティを適用することができ、そのアンテナの切り替え（選択）判定をガードインターバル以外の有効シンボル期間でもできるようにし、以て、低コストで且つアンテナ選択の即時性に優れたＯＦＤＭ受信装置、ＯＦＤＭ受信方法及び地上波デジタル受信装置を提供することを目的とする。
【課題を解決するための手段】
【００１３】
請求項１記載の発明は、アンテナを接続可能な複数のアンテナ接続端子と、この複数のアンテナ接続端子の中から一つのアンテナ接続端子を選択して、ＯＦＤＭ信号を受信するアンテナを切り替えるアンテナ切替手段と、前記アンテナ接続端子に接続されたアンテナにより受信されたＯＦＤＭ信号とこのＯＦＤＭ信号を有効シンボル期間遅延した信号との相関値に基づいてシンボルに同期するシンボル同期信号を生成するシンボル同期生成手段と、このシンボル同期生成手段により生成されたシンボル同期信号からガードインターバル期間と有効シンボル期間に同期する同期クロック信号を生成する同期クロック生成手段と、前記アンテナ接続端子に接続されたアンテナにより受信されたＯＦＤＭ信号から該ＯＦＤＭ信号の各フレームに対応するフレームナンバーを生成するフレームナンバー生成手段と、予め定められたフレームナンバーを記憶する記憶手段と、前記フレームナンバー生成手段により生成されたフレームナンバーと前記記憶手段に記憶された値とを比較し一致したか否かを判断する判断手段と、この判断手段で、前記フレームナンバー生成手段により生成されたフレームナンバーと前記記憶手段に記憶された値との一致が判定された際に、前記シンボル同期生成手段により生成されたシンボル同期信号を前記同期クロック生成手段により生成されたガードインターバル期間に同期する同期クロックでサンプリングし第１の積算値を求める第１の積算手段と、前記シンボル同期生成手段により生成されたシンボル同期信号を前記同期クロック生成手段により生成された有効シンボル期間に同期する同期クロックでサンプリングし第２の積算値を求める第２の積算手段と、前記アンテナ切替手段によりアンテナを切り替えた後に前記シンボル同期生成手段により生成されたシンボル同期信号を前記同期クロック生成手段により生成されたガードインターバル期間に同期する同期クロックでサンプリングし第３の積算値を求める第３の積算手段と、前記シンボル同期生成手段により生成されたシンボル同期信号を前記同期クロック生成手段により生成された有効シンボル期間に同期する同期クロックでサンプリングし第４の積算値を求める第４の積算手段と、前記第１から第４の積算手段により求められた該第１から第４の積算値に基づいてアンテナを切り替えるか否かを判断するアンテナ切替判断手段と、このアンテナ切替判断手段によりアンテナを切り替えると判断された際に、前記シンボル同期生成手段により生成されたシンボル同期信号に同期したタイミングで前記アンテナ切替手段によりアンテナを切り替えることを特徴とするＯＦＤＭ受信装置である。
請求項２記載の発明は、前記アンテナ切替判断手段は、前記第１の積算値から前記第２の積算値を割った値と前記第３の積算値から前記第４の積算値を割った値とを比較する比較手段を備え、この比較手段によって比較した結果、前記第３の積算値から前記第４の積算値を割った値が前記第１の積算値から前記第２の積算値を割った値よりも小さい場合に前記アンテナ切替手段によりアンテナを切り替えることを特徴とする請求項１記載のＯＦＤＭ受信装置である。
請求項３記載の発明は、前記アンテナ切替判断手段は、前記第１の積算値と前記第４の積算値の積の値と、前記第３の積算値と前記第２の積算値の積の値とを比較する比較手段を備え、この比較手段によって比較した結果、前記第１の積算値と前記第４の積算値の積の値が前記第３の積算値と前記第２の積算値の積の値よりも大きい場合に前記アンテナ切替手段によりアンテナを切り替えることを特徴とする請求項１記載のＯＦＤＭ受信装置である。
請求項４記載の発明は、前記アンテナ切替手段におけるアンテナの切り替えは、ガードインターバル期間に行われることを特徴とする請求項１記載のＯＦＤＭ受信装置である。
請求項５記載の発明は、アンテナを接続可能な複数のアンテナ接続端子の中から一つのアンテナ接続端子を選択して、ＯＦＤＭ信号を受信するアンテナを切り替えるアンテナ切替工程と、前記アンテナ接続端子に接続されたアンテナにより受信されたＯＦＤＭ信号とこのＯＦＤＭ信号を有効シンボル期間遅延した信号との相関値に基づいてシンボルに同期するシンボル同期信号を生成するシンボル同期生成工程と、このシンボル同期生成工程により生成されたシンボル同期信号からガードインターバル期間と有効シンボル期間に同期する同期クロック信号を生成する同期クロック生成工程と、前記アンテナ接続端子に接続されたアンテナにより受信されたＯＦＤＭ信号から該ＯＦＤＭ信号の各フレームに対応するフレームナンバーを生成するフレームナンバー生成工程と、予め定められたフレームナンバーを記憶する記憶工程と、前記フレームナンバー生成工程により生成されたフレームナンバーと前記記憶工程で記憶された値とを比較し一致したか否かを判断する判断工程と、この判断工程で、前記フレームナンバー生成工程により生成されたフレームナンバーと前記記憶工程で記憶された値との一致が判定された際に、前記シンボル同期生成工程により生成されたシンボル同期信号を前記同期クロック生成工程により生成されたガードインターバル期間に同期する同期クロックでサンプリングし第１の積算値を求める第１の積算工程と、前記シンボル同期生成工程により生成されたシンボル同期信号を前記同期クロック生成工程により生成された有効シンボル期間に同期する同期クロックでサンプリングし第２の積算値を求める第２の積算工程と、前記アンテナ切替工程によりアンテナを切り替えた後に前記シンボル同期生成工程により生成されたシンボル同期信号を前記同期クロック生成工程により生成されたガードインターバル期間に同期する同期クロックでサンプリングし第３の積算値を求める第３の積算工程と、前記シンボル同期生成工程により生成されたシンボル同期信号を前記同期クロック生成工程により生成された有効シンボル期間に同期する同期クロックでサンプリングし第４の積算値を求める第４の積算工程と、前記第１から第４の積算工程により求められた該第１から第４の積算値に基づいてアンテナを切り替えるか否かを判断するアンテナ切替判断工程と、このアンテナ切替判断工程によりアンテナを切り替えると判断された際に、前記シンボル同期生成工程により生成されたシンボル同期信号に同期したタイミングで前記アンテナ切替工程によりアンテナを切り替えることを特徴とするＯＦＤＭ受信方法である。
請求項６記載の発明は、前記アンテナ切替判断工程は、前記第１の積算値から前記第２の積算値を割った値と前記第３の積算値から前記第４の積算値を割った値とを比較する比較工程を含み、この比較工程によって比較した結果、前記第３の積算値から前記第４の積算値を割った値が前記第１の積算値から前記第２の積算値を割った値よりも小さい場合に前記アンテナ切替工程によりアンテナを切り替えることを特徴とする請求項５記載のＯＦＤＭ受信方法である。
請求項７記載の発明は、前記アンテナ切替判断工程は、前記第１の積算値と前記第４の積算値の積の値と、前記第３の積算値と前記第２の積算値の積の値とを比較する比較工程を含み、この比較工程によって比較した結果、前記第１の積算値と前記第４の積算値の積の値が前記第３の積算値と前記第２の積算値の積の値よりも大きい場合に前記アンテナ切替工程によりアンテナを切り替えることを特徴とする請求項５記載のＯＦＤＭ受信方法である。
請求項８記載の発明は、前記アンテナ切替工程におけるアンテナの切り替えは、ガードインターバル期間に行われることを特徴とする請求項５記載のＯＦＤＭ受信方法である。
【発明の効果】
【００１４】
本発明によれば、複数のアンテナの一つを選択するアンテナダイバシティ、すなわち、ハードウェア規模の増大を招かない選択ダイバシティにおけるアンテナ選択の判定を有効シンボル期間Ｔｕにおいても行うことができるようになり、低コストで且つアンテナ選択の即時性に優れたＯＦＤＭ受信装置、ＯＦＤＭ受信方法及び地上波デジタル受信装置を提供することができる。
【発明を実施するための最良の形態】
【００１５】
以下、本発明の実施形態を、地上波デジタル放送用のＯＦＤＭ受信装置を例にして、図面を参照しながら説明する。なお、以下の説明における様々な細部の特定ないし実例および数値や文字列その他の記号の例示は、本発明の思想を明瞭にするための、あくまでも参考であって、それらのすべてまたは一部によって本発明の思想が限定されないことは明らかである。また、周知の手法、周知の手順、周知のアーキテクチャおよび周知の回路構成等（以下「周知事項」）についてはその細部にわたる説明を避けるが、これも説明を簡潔にするためであって、これら周知事項のすべてまたは一部を意図的に排除するものではない。かかる周知事項は本発明の出願時点で当業者の知り得るところであるので、以下の説明に当然含まれている。
【００１６】
図１は、ＯＦＤＭ受信装置１の構成図である。なお、図示の構成は、地上波デジタル放送波の受信、復調及び誤り訂正の各ブロックを示しており、誤り訂正後の受信データ（ＭＰＥＧのトランスポートストリームパケット；ＴＳパケット）をＭＰＥＧ伸長して表示装置に出力する部分は省略している。
【００１７】
この図において、ＯＦＤＭ受信装置１は、空間的に位置をずらして設置された複数の地上波デジタル放送受信アンテナ２ａ、２ｂ・・・・（以下、単にアンテナという）からの受信信号（地上波デジタル放送波３）を各々入力する複数のアンテナ端子４ａ、４ｂ・・・・を備える。本実施形態ではアンテナ数を便宜的に“２”とするが、この数に限定されない。少なくとも“２”であればよいが、“３”又はそれ以上の数を排除しない。
【００１８】
複数のアンテナ端子４ａ、４ｂは、アンテナ切替回路５に接続されており、このアンテナ切替回路５は、アンテナ切替制御部６からのアンテナ切替制御信号ＳＥＬに従い、複数のアンテナ端子４ａ、４ｂの一つを選択し、その選択されたアンテナ端子からの受信信号をチューナー回路７に出力する。
【００１９】
チューナー回路７は、地上波デジタル放送のチャネル選択を行うと共に、選択したチャネルの受信信号（５００ＭＨｚ帯の高周波信号）を、後段の回路が処理しやすい中間周波数帯（５００ＫＨｚ帯）のＩＦ信号に変換して、ＡＤＣ回路８に出力し、ＡＤＣ回路８は、アナログのＩＦ信号をデジタル信号に変換し、ＦＦＴ（高速フーリエ変換）回路９に出力する。ＦＦＴ回路９及びそれ以降の詳細は、次の図２を参照しながら説明する。
【００２０】
図２は、図１に示すＯＦＤＭ受信装置の詳細構成図である。この図において、ＦＦＴ回路９は、Ｉ／Ｑ分離部１３、挟帯域キャリア同期部１４、シンボル同期部１５、クロック発生部１６、ＦＦＴ窓設定部１７、フーリエ変換部１８、位相周波数特性逆算部１９、広帯域キャリア同期部２０及びフレームデコード部２１を備える。また、図示では説明の便宜上、同一のブロックで示しているが、復調回路１１と誤り訂正回路１２は、デインターリーブ部２３、デマッピング部２４、ビタビ復号部２５及びリードソロモン復号部２６を備える。
【００２１】
ＡＤＣ回路８でデジタル変換されたＯＦＤＭ信号は、Ｉ／Ｑ分離部１３で同相信号（Ｉ信号）と９０度位相が異なる直交信号（Ｑ信号）とに分離され、複素ＯＦＤＭ信号に変換される。
【００２２】
この複素ＯＦＤＭ信号は、伝送シンボル期間を１単位として伝送シンボル期間毎に順次区分される。一つの伝送シンボル期間Ｔは、先の図８でも説明したように、ガードインターバル期間Ｔｇと、それに続く有効シンボル期間Ｔｕとから構成されており、有効シンボル期間Ｔｕには、伝送側で伝送データをＩＦＦＴ（逆フーリエ変換）処理して生成された１単位のＩＦＦＴ信号が割り当てられている。また、ガードインターバル期間Ｔｇには、それに続く有効シンボル期間Ｔｕの後端１／ｎ部分（ｎは４又は８など）がそのまま挿入されている。
【００２３】
Ｉ／Ｑ分離部１３からの複素ＯＦＤＭ信号は、狭帯域キャリア同期部１４に入力され、この狭帯域キャリア同期部１４によって周波数の歪みが修正される。この修正は、後述のフーリエ変換部１８によって高速フーリエ変換された後の各サブキャリアの周波数が、所定周波数（地上波デジタル放送のモード３の時０．９９２ＫＨｚ）の整数倍となるように行われる。
【００２４】
ここで、複素ＯＦＤＭ信号上の周波数の歪みは、シンボル同期部１５における相関の大きさに基づいて検出されるようになっており、上記の狭帯域キャリア同期部１４は、このシンボル同期部１５からのフィードバック（検出された周波数の歪み）を受けて周波数の歪みを修正するようになっている。すなわち、複素ＯＦＤＭ信号上の周波数の歪みは、シンボル同期部１５において相関が最大になった位置における同相信号（Ｉ信号）と直交信号（Ｑ信号）のそれぞれの相関値の差分により検出される。
【００２５】
複素ＯＦＤＭ信号上の周波数の歪みを修正する具体的方法は、サブキャリアの周波数間隔（たとえば、０．９９２ＫＨｚ）の±１／２以下の精度の狭帯域キャリア周波数誤差を算出し、このキャリア周波数誤差を基に、誤差に応じた信号を周波数発生装置で発生して、その信号を複素ＯＦＤＭ信号に複素乗算することによって行われる。
【００２６】
このようにして、周波数の歪みが修正された複素ＯＦＤＭ信号は、シンボル同期部１５とフーリエ変換部１８にそれぞれ入力される。
【００２７】
シンボル同期部１５は、複素ＯＦＤＭ信号中のガードインターバル期間Ｔｇが有効シンボル期間Ｔｕの一部の複写であることを利用して、狭帯域キャリア同期部１４の出力信号と、この出力信号を略有効シンボル期間Ｔｇ遅延した信号との相関を求め、同相信号（Ｉ信号）の相関値と直交信号（Ｑ信号）の相関値とを加算した値が最大となる位置を有効シンボル期間Ｔｕの開始タイミングとする。そして、シンボル同期部１５は、この開始タイミングにてシンボル同期パルスを発生し、これをクロック発生部１６とフーリエ変換部１８に出力する。
【００２８】
クロック発生部１６は、シンボル同期部１５からのシンボル同期パルスに対応した同期クロックを発生し、その同期クロックを各部（フーリエ変換部１８、位相周波数特性逆算部１９、広帯域キャリア同期部２０・・・・等々）へ供給する。
【００２９】
フーリエ変換部１８は、ＦＦＴ窓設定部１７から出力されるパルスを元に、狭帯域キャリア同期部１４により周波数の歪みが修正された複素ＯＦＤＭ信号に対してＦＦＴ（フーリエ変換）処理を実行することにより、送信側で各サブキャリア帯域上にＯＦＤＭ多重されたＮ系列（地上波デジタル放送のモード３のとき４３２チャネル）の複素ＯＦＤＭ信号を復調する。
【００３０】
ＦＦＴ窓設定部１７は、後述するＦＦＴ窓位置検出部２２から得られる窓位置補正値を元に、シンボル同期部１５から出力されるシンボル同期パルスの発生タイミングを変更し、これによりＦＦＴ窓位置を調整する。
【００３１】
フーリエ変換部１８は、変更されたシンボル同期パルスに基づいて、複素ＯＦＤＭ信号に対するＦＦＴ処理を実行する。すなわち、フーリエ変換部１８は、窓位置設定パルスを元に、有効シンボル期間の先頭を開始位置とし、且つ有効シンボル期間の時間幅を有する時間窓（ＦＦＴ窓）を設定し、このＦＦＴ窓に対応する期間分について複素ＯＦＤＭ信号をＦＦＴ処理して、Ｎ系列の複素ＯＦＤＭ信号を復調する。
【００３２】
位相周波数特性逆算部１９は、ＦＦＴ処理された複素ＯＦＤＭ信号の複素データ列に、ＦＦＴ窓位置検出部２２から得られた窓位置補正値に相当する位相回転量を乗算する。
【００３３】
広帯域キャリア同期処理部２０は、ＦＦＴ処理によって復調されたＮ系列の複素ＯＦＤＭ信号が、対応するサブキャリアの周波数帯域に正しく位置付けられるように、復調後のＮ系列の複素ＯＦＤＭ信号とサブキャリア帯域との間の周波数ずれを補正する。具体的には、あらかじめ送信側で特定のサブキャリアに割り当てられているパイロット信号を復調後の複素ＯＦＤＭ信号の中から検出し、このパイロット信号を検出したサブキャリア帯域と、送信側でこのパイロット信号が割り当てられたサブキャリア帯域との間のずれを検出することによって、復調後のＮ系列の複素ＯＦＤＭ信号とサブキャリア帯域との間の周波数ずれを求める。そして、このずれの分だけ複素ＯＦＤＭ信号の周波数帯域をシフトさせて補正する。
【００３４】
なお、上記のパイロット信号は、Ｎ系列のキャリア帯域のうち、一定間隔のキャリア帯域（ｎ，２ｎ，３ｎ・・・・；地上波デジタルの場合ｎ＝１２）にあらかじめ送信側にて挿入される信号のことである。スキャッターパイロット（ＳＰ：Scatterd Pilot）信号ともいう。
【００３５】
フレームデコード部２１は、複素ＯＦＤＭ信号中のＴＭＣＣ（伝送制御信号）の同期ビットを判定してＯＦＤＭ信号のフレーム同期をとると共に、復調されたＮ系列の複素ＯＦＤＭ信号を所定のシンボル数分蓄積して一つのＯＦＤＭフレームを構成し、且つ、そのうちの所定の系列（サブキャリア帯域）に割り当てられたＴＭＣＣを抽出する。
【００３６】
伝送路等化部１０は、伝送路において受けた信号の歪みを補正する。すなわち、ゴースト波の影響やＦＦＴ窓位置のずれ等によって複素ＯＦＤＭ信号を構成する同期信号（Ｉ信号）と直交信号（Ｑ信号）が理想点との間に生じているズレや、大きさを検出して、これを補正する。
【００３７】
すなわち、この伝送路等化部１０は、上記のパイロット信号に発生している同期信号（Ｉ信号）と直交信号（Ｑ信号）の間の理想点からの位相ずれを推定し、推定した位相ズレを解消するように同相信号（Ｉ信号）と直交信号（Ｑ信号）に等化処理をかける。また、このパイロット信号の振幅レベルに基づいて、各キャリア帯域上の同相信号（Ｉ信号）と直交信号（Ｑ信号）の振幅レべルの調整も行ない、さらに、抽出したパイロット信号をＦＦＴ窓位置検出部２２に供給する。
【００３８】
ＦＦＴ窓位置検出部２２は、伝送路等化部１０によって抽出されたパイロット信号（または、この伝送路等化部１０にて推定された伝送路特性）を用いて、現在のＦＦＴ窓位置と、正規の送信波およぴその他のゴースト波の有効シンボル期間との間のズレを検出する。
【００３９】
また、ＦＦＴ窓位置検出部２２は、所定の閾値を越える前ゴースト波が受信波に含まれているか否かを判別し、閾値を越える前ゴースト波が含まれている場合には、この前ゴースト波の有効シンボル期間とＦＦＴ窓位置のずれ量に基づいて、ＦＦＴ窓位置の補正量を算出する。
【００４０】
デインターリーブ部２３は、送信側で施された周波数方向のインターリーブ（データ系列間の並べ替え）と時間軸方向のインターリーブ（各データ系列内における時間軸方向のデータの並べ替え）を解除する（並べ替えを元に戻す）。
【００４１】
デマッビング部２４は、変調方式に応じて配置されたデータを複号し、ビタビ複号処理部２５は、送信側で畳み込み符号化されたデータを複号する。また、リードソロモン復号部２６は、送信側でリードソロモン符号化されたデータを復号し、ＭＰＥＧのトランスポートストリームパケット（ＴＳパケット）を生成し、このＴＳパケットを不図示のＭＰＥＧ復号器を介して、これも不図示の表示装置に出力する。
【００４２】
図３は、アンテナ切替制御部６の構成図である。この図において、アンテナ切替制御部６は、ＧＩタイミング生成部２７、ＧＩサンプリング部２８、有効シンボルサンプリング部２９、第１移動平均積算値計算部３０、第２移動平均積算値計算部３１、積算値保持部３３、アンテナ切替判定部２４及びアンテナ切替信号発生部３５を有する。なお、“ＧＩ”はガードインターバルの略である。
【００４３】
ＧＩタイミング生成部２７にはクロック発生部１６からの信号Ｂ（クロックカウンターとクロック信号）及びフレームデコード部２１からの信号Ｃ（フレーム番号）が入力されており、ＧＩタイミング生成部２７は、あらかじめ記憶しているフレーム番号（フレームナンバー）と信号Ｃ（フレーム番号）との一致を判定すると、これらの信号Ｂ（クロックカウンターとクロック信号）及び信号Ｃ（フレーム番号）に基づいて、信号Ｄ（ＧＩタイミング信号）と信号Ｅ（有効シンボルタイミング信号）を発生する。
【００４４】
ＧＩサンプリング部２８にはシンボル同期部１５からの信号Ａ（シンボル同期パルス）及びＧＩタイミング生成部２７からの信号Ｄ（ＧＩタイミング信号）が入力されており、ＧＩサンプリング部２８は、これらの信号Ａ（シンボル同期パルス）及び信号Ｄ（ＧＩタイミング信号）に基づいて、ガードインターバル期間の情報をサンプリングし、それを信号Ｆとして出力する。
【００４５】
有効シンボルサンプリング部２９にはシンボル同期部１５からの信号Ａ（シンボル同期パルス）及びＧＩタイミング生成部２７からの信号Ｅ（有効シンボルタイミング信号）が入力されており、有効シンボルサンプリング部２９は、これらの信号Ａ（シンボル同期パルス）及び信号Ｅ（有効シンボルタイミング信号）に基づいて、有効シンボル期間の情報をサンプリングし、それを信号Ｇとして出力する。
【００４６】
第１移動平均積算値計算部３０にはＧＩサンプリング部２８からの信号Ｆ（ガードインターバル期間の情報）が入力されており、第１移動平均積算値計算部３０は、このガードインターバル期間の情報を所定期間（後述のガードインターバル内積算期間Σａ）移動平均した積算値を求め、それを信号Ｈ（第１移動平均積算値）として出力する。
【００４７】
第２移動平均積算値計算部３１には有効シンボルサンプリング部２９からの信号Ｇ（有効シンボル期間の情報）が入力されており、第２移動平均積算値計算部３１は、この有効シンボル期間の情報を所定期間（後述のガードインターバル外積算期間Σｂ）移動平均した積算値を求め、それを信号Ｉ（第２移動平均積算値）として出力する。
【００４８】
積算値保持部３３には、第１移動平均積算値計算部３０からの信号Ｈ（第１移動平均積算値）と、第２移動平均積算値計算部３１からの信号Ｉ（第２移動平均積算値）とが入力されるようになっており、積算値保持部３３は、これらの信号Ｈ、Ｉを四つのメモリ３３ａ〜３３ｄに振り分けて一時的に保持する。
【００４９】
ここで、四つのメモリ３３ａ〜３３ｄをそれぞれ第１メモリ３３ａ、第２メモリ３３ｂ、第３メモリ３３ｃ、第４メモリ３３ｄということにする。各メモリ内に記した符号（ＡI 、ＡO 、ＢI 、ＢO ）は、第１移動平均積算値計算部３０や第２移動平均積算値計算部３１から入力された信号Ｈ（第１移動平均積算値）及び信号Ｉ（第２移動平均積算値）を表しており、ＡI とＢI はどちらも信号Ｈ（第１移動平均積算値）、ＡO とＢO はどちらも信号Ｉ（第２移動平均積算値）である。
【００５０】
ＡI とＢI の下付添え字（Ｉ）は、後述のガードインターバル内積算期間Σａを示しており（つまり、ガードインターバル“内”を表すＩＮの略）、ＡO とＢO の下付添え字（Ｏ）は、後述のガードインターバル外積算期間Σｂを示している（つまり、ガードインターバル“外”を表すＯＵＴの略）。また、接頭語のＡとＢは、それらの積算値演算に用いたデータの受信アンテナの区別を表している。すなわち、Ａは「アンテナＡ」のことであり、Ｂは「アンテナＢ」のことである。ただし、正確にはＡはアンテナ端子４ａに接続されたアンテナ２ａのことを指し、Ｂはアンテナ端子４ｂに接続されたアンテナ２ｂのことを指しているが、ここでは、簡単化のために単に「アンテナＡ」及び「アンテナＢ」ということにする。
【００５１】
アンテナ切替判定部２４には、積算値保持部３３からの信号Ｊ（四つの積算値ＡI 、ＡO 、ＢI 、ＢO ）とフレームデコード部２１からの信号Ｃ（フレーム番号）が入力されており、アンテナ切替判定部２４は、フレーム番号に従い、積算値保持部３３からの四つの積算値ＡI 、ＡO 、ＢI 、ＢO を比較検討して、アンテナＡとアンテナＢのどちらのＣＮ比が良好であるかを判定し、その判定結果を示す信号Ｋ（ＣＮ比が良好な方のアンテナの選択を促す信号）をアンテナ切替信号発生部３５に出力する。
【００５２】
アンテナ切替信号発生部３５には、ＧＩタイミング生成部２７からの信号Ｄ（ＧＩタイミング信号）とアンテナ切替判定部２４からの信号Ｋ（ＣＮ比が良好な方のアンテナの選択を促す信号）が入力されており、また、ＯＦＤＭ受信装置１の電源投入時やチャネル選択時又はユーザによる任意の指定時にアンテナ選択動作の開始を指示する信号Ｌが入力されるようになっている。
【００５３】
アンテナ切替信号発生部３５は、この信号Ｌの入力に応答して、アンテナＡとアンテナＢを順次に選択するための信号（アンテナ切替制御信号ＳＥＬ）をアンテナ切替回路５に出力する。具体的には、信号Ｌの入力に応答して、まず、初期アンテナ（ここでは便宜的に「アンテナＡ」）の選択を指示するためのアンテナ切替制御信号ＳＥＬをアンテナ切替回路５に出力する。そして、アンテナＡによって１シンボルのＯＦＤＭ信号を受信した後に、「アンテナＢ」の選択を指示するためのアンテナ切替制御信号ＳＥＬをアンテナ切替回路５に出力し、その後、アンテナ切替判定部２４からの信号Ｋにしたがって、ＣＮ比が良好な方のアンテナ（その時の状況によってアンテナＡまたはアンテナＢ）の選択を指示するためのアンテナ切替制御信号ＳＥＬをアンテナ切替回路５に出力する。
【００５４】
なお、アンテナ切替制御信号ＳＥＬの出力タイミングは、受信シンボルの途切れを招かない適切なタイミングとする必要があり、ここでは、ＧＩタイミング生成部２７からの信号Ｄ（ＧＩタイミング信号）に従い、ガードインターバル期間内（好ましくはできるだけガードインターバル期間の始まりに近いタイミング）でアンテナ切替制御信号ＳＥＬを出力するようにしている。
【００５５】
上記のとおり、アンテナ切替制御部６の機能の一つは、シンボル同期部１５で用いられていた相関値を、このシンボル同期部１５のシンボル同期タイミングを利用し、さらに、フレームデコード部２１から得られたＴＭＣＣ（伝送制御信号）のモードやガードインターバル長の情報を元に、ガードインターバル期間およびそれ以外の期間の相関値を分けて積算することにある。
【００５６】
図４は、積算期間の説明図である。本実施形態では、この図に示すような二つの積算期間を規定する。第一の積算期間は「ガードインターバル内積算期間Σａ」であり、第二の積算期間は「ガードインターバル外積算期間Σｂ」である。
【００５７】
ガードインターバル内積算期間Σａは、シンボルのガードインターバル期間Ｔｇと同一の期間であり、ガードインターバル外積算期間Σｂは、それ（ガードインターバル内積算期間Σａ）以外の期間であって、且つ、有効シンボル期間Ｔｕから所定のマージン期間Ｍを除いた期間である。マージン期間Ｍとは、マルチパスの影響を排除するための余裕期間である。つまり、マルチパスの影響によっては、ガードインターバル期間Ｔｇが時間的に多少前後にずれることがあり、有効シンボル期間Ｔｕの先頭や後尾に入り込むことがあるため、その影響を排除するためのものである。
【００５８】
アンテナ切替制御部６は、アンテナＡとアンテナＢについて、これら規定された二つの積算期間Σａ、Σｂに従って相関値（第１移動平均積算値、第２移動平均積算値）を演算する。すなわち、アンテナＡで受信したＯＦＤＭ信号の第１移動平均積算値（ＡI ）と第２移動平均積算値（ＡO ）を演算すると共に、アンテナＢで受信したＯＦＤＭ信号の第１移動平均積算値（ＢI ）と第２移動平均積算値（ＢO ）を演算し、それらの演算結果を積算値保持部３３の四つのメモリ３３ａ〜３３ｄに振り分けて一時保持する。つまり、ＡI を第１メモリ３３ａに一時保存し、ＡO を第２メモリ３３ｂに一時保存し、ＢI を第３メモリ３３ｃに一時保存し、ＢO を第４メモリ３３ｄに一時保存する。
【００５９】
図中の二つのピークＰ１、Ｐ２を持つ実線は非遅延シンボルと遅延シンボル（非遅延シンボルをＴ−Ｔｇだけ遅延させたもの）との相関値である。最大の相関値を示すピークＰ１、Ｐ２の部分は、それぞれガードインターバル期間Ｔｇに対応する。ガードインターバル期間Ｔｇの情報と、そのガードインターバル期間Ｔｇの後ろに続く有効シンボル期間Ｔｕの最後尾の情報とが一致しているからである。
【００６０】
図５は、積算の概念図である。この図において、遅延シンボルは非遅延シンボルを所定時間（Ｔ−Ｔｇ）だけ遅延させたものであり、遅延シンボルのガードインターバル期間Ｔｇと、非遅延シンボルの有効シンボル期間Ｔｕの後部（ガードインターバル期間Ｔｇの情報のコピー元部分）とは時間軸上で重なっている。
【００６１】
アンテナ切替制御部６は、これら二つのシンボル（非遅延シンボルと遅延シンボル）に対して、規定された二つの期間（ガードインターバル内積算期間Σａとガードインターバル外積算期間Σｂ）の各々の移動平均積算値（ＡI 、ＡO 、ＢI 、ＢO ）を演算する。第１移動平均積算値（ＡI 、ＢI ）はガードインターバル内積算期間Σａの移動平均積算値、第２移動平均積算値（ＡO 、ＢO ）はガードインターバル外積算期間Σｂの移動平均積算値である。先にも説明したとおり、ＡI とＡO は「アンテナＡ」を用いて受信したＯＦＤＭ信号の第１移動平均積算値と第２移動平均積算値であり、また、ＢI とＢO は「アンテナＢ」を用いて受信したＯＦＤＭ信号の第１移動平均積算値と第２移動平均積算値である。
【００６２】
なお、二つの積算期間Σａ、Σｂの特定は、シンボル同期部１５からの信号Ａ（シンボル同期パルス）に基づいて行い、積算処理はクロック発生部１６からの信号Ｂ（クロックカウンターとクロック信号）に基づいて行う。また、何番目のシンボルを対象にして積算処理を行っているかの特定は、フレームデコード部２１からの信号Ｃ（フレーム番号）に基づいて行う。
【００６３】
アンテナ切替制御部６は、これらの四つの積算値（ＡI 、ＡO 、ＢI 、ＢO ）を比較検討して、ＣＮ比の良好なアンテナを判定する。判定式（評価式）の一例は、図中の「ＡI ／ＡO ＞ＢI ／ＢO 」で示されている。この評価式が真（Ｔｒｕｅ）のときにアンテナＡのＣＮ比が良好であると判定し、また、偽（Ｆａｌｓｅ）のときにアンテナＢのＣＮ比が良好であると判定する。この評価式の原理については後述する。
【００６４】
図６（ａ）は、アンテナ切替制御部６の動作フローチャートを示す図である。この図において、アンテナ切替制御部６は、まず、初期アンテナ（ここでは「アンテナＡ」）を選択する（ステップＳ１）。次いで、アンテナＡで受信したＯＦＤＭ信号のガードインターバル内積算期間Σａの移動平均積算処理を行って第１移動平均積算値（ＡI ）を求め（ステップＳ２）、その第１移動平均積算値（ＡI ）を積算値保持部３３の第１メモリ３３ａに一時保存する（ステップＳ３）。次いで、同ＯＦＤＭ信号のガードインターバル外積算期間Σｂの移動平均積算処理を行って第２移動平均積算値（ＡO ）を求め（ステップＳ４）、その第２移動平均積算値（ＡO ）を積算値保持部３３の第２メモリ３３ｂに一時保存する（ステップＳ５）。
【００６５】
次いで、現在のアンテナが初期アンテナ（アンテナＡ）以外であるか否か、つまり、現在のアンテナが「アンテナＢ」であるか否かを判定する（ステップＳ６）。この段階では、まだ初期アンテナ（アンテナＡ）のままであるので、ステップＳ６の判定結果は“ＮＯ”となり、アンテナＢを選択した後、再びステップＳ２以降を実行する。
【００６６】
すなわち、アンテナＢで受信したＯＦＤＭ信号のガードインターバル内積算期間Σａの移動平均積算処理を行って第１移動平均積算値（ＢI ）を求め（ステップＳ２）、その第１移動平均積算値（ＢI ）を積算値保持部３３の第３メモリ３３ｃに一時保存する（ステップＳ３）。次いで、同ＯＦＤＭ信号のガードインターバル外積算期間Σｂの移動平均積算処理を行って第２移動平均積算値（ＢO ）を求め（ステップＳ４）、その第２移動平均積算値（ＢO ）を積算値保持部３３の第４メモリ３３ｄに一時保存する（ステップＳ５）。
【００６７】
次いで、現在のアンテナが初期アンテナ（アンテナＡ）以外であるか否か、つまり、現在のアンテナが「アンテナＢ」であるか否かを判定する（ステップＳ６）が、この段階では現在のアンテナが「アンテナＢ」であるので、ステップＳ６の判定結果が“ＹＥＳ”となってループを抜け、積算値保持部３３の第１〜第４メモリ３３ａ〜３３ｄに一時保存されている四つの積算値（ＡI 、ＡO 、ＢI 、ＢO ）を読み出し（ステップＳ８）、式「ＡI ／ＡO ＞ＢI ／ＢO 」を評価する（ステップＳ９）。
【００６８】
そして、その評価結果が真（Ｔｒｕｅ）であれば、アンテナＡの方がＣＮ比が良好であると判断して元のアンテナに戻し（現在のアンテナＢからアンテナＡに切り換え）（ステップＳ１０）てからフローチャートを終了する一方、その評価結果が偽（Ｆａｌｓｅ）であれば、アンテナＡよりも現在のアンテナＢの方がＣＮ比が良好であると判断して何もせずに（現在のアンテナＢをそのままにして）フローを終了する。
【００６９】
図６（ｂ）は、他の評価式の例を示す図である。ここでは、図６（ａ）のステップＳ９における評価式「ＡI ／ＡO ＞ＢI ／ＢO 」の代わりに使用することができる他の評価式「ＡI ×ＢO ＞ＢI ×ＡO 」の例を示している。図６（ａ）のステップＳ９における評価式「ＡI ／ＡO ＞ＢI ／ＢO 」は、ＡI とＡO の比率（ＡI ／ＡO ）と、ＢI とＢO の比率（ＢI ／ＢO ）とを比較して前者が大きい場合に真（Ｔｒｕｅ）、そうでない場合に偽（Ｆａｌｓｅ）とするものである。一方、図６（ｂ）のステップＳ９における評価式「ＡI ×ＢO ＞ＢI ×ＡO 」は、比率によるものではないが、ＡI にＢO なる重み値を乗じたものと、ＢI にＡO なる重み値を乗じたものとを比較して前者が大きい場合に真（Ｔｒｕｅ）、そうでない場合に偽（Ｆａｌｓｅ）とするものである。これら二つの評価式の結果はほぼ同等である。
【００７０】
図７（ａ）は、第１及び第２移動平均積算値の演算結果の一例を示す図である。ここでは、便宜的にシンボル番号１〜６までの演算結果を示している。すなわち、シンボル番号１のＣＮ比は１、ガードインターバル内積算期間Σａの積算結果（第１移動平均積算値）は５４００、ガードインターバル外積算期間Σｂの積算結果（第２移動平均積算値）は６００、それらの比率（上記評価式のＡI ／ＡO 又はＢI ／ＢO に相当；以下Ｘとする）は９である。
【００７１】
また、シンボル番号２のＣＮ比は３、ガードインターバル内積算期間Σａの積算結果（第１移動平均積算値）は５２８０、ガードインターバル外積算期間Σｂの積算結果（第２移動平均積算値）は４８０、それらの比率（上記のＸに相当）は１１である。また、シンボル番号３のＣＮ比は５、ガードインターバル内積算期間Σａの積算結果（第１移動平均積算値）は５１８０、ガードインターバル外積算期間Σｂの積算結果（第２移動平均積算値）は３７０、それらの比率（上記のＸに相当）は１４である。また、シンボル番号４のＣＮ比は７、ガードインターバル内積算期間Σａの積算結果（第１移動平均積算値）は５１１５、ガードインターバル外積算期間Σｂの積算結果（第２移動平均積算値）は３３０、それらの比率（上記のＸに相当）は１５．５である。また、シンボル番号５のＣＮ比は９、ガードインターバル内積算期間Σａの積算結果（第１移動平均積算値）は５１００、ガードインターバル外積算期間Σｂの積算結果（第２移動平均積算値）は３００、それらの比率（上記のＸに相当）は１７である。また、シンボル番号６のＣＮ比は１１、ガードインターバル内積算期間Σａの積算結果（第１移動平均積算値）は５０４０、ガードインターバル外積算期間Σｂの積算結果（第２移動平均積算値）は２８０、それらの比率（上記のＸに相当）は１８である。
【００７２】
さて、この図（図７（ａ））を参照すると、ＣＮ比と比率Ｘとの間に一応の関係を見ることができる。つまり、比率Ｘが高いほど大きなＣＮ比が得られるという関係である。この関係を利用した評価式が上記の「ＡI ／ＡO ＞ＢI ／ＢO 」である。
【００７３】
図７（ｂ）は、比率ＸとＣＮ比との関係を示す図である。この図において、縦軸は比率Ｘを表し、横軸はＣＮ比を表している。この図からも理解されるように比率Ｘが高くなるほどＣＮ比が大きな値になっている。ＣＮ比は、先にも説明したとおり、受信点における付加雑音電力（Ｎ）と信号電力（Ｃ）の比であるので、ＣＮ比はできるだけ大きいことが望ましく、たとえば、ＣＮ比３よりもＣＮ比９の方が当然望ましい。図において、ＣＮ比３の比率Ｘは１１、ＣＮ比９の比率Ｘは１７である。今、アンテナＡのＣＮ比を９、アンテナＢのＣＮ比を３と仮定し、各ＣＮ比に対応する比率ＸをＡI ／ＡOとＢI ／ＢOに当てはめると、ＡI ／ＡO ＝１７、ＢI ／ＢO ＝１１となる。このとき、「１７＞１１」となって、評価式「ＡI ／ＡO ＞ＢI ／ＢO 」は真（Ｔｒｕｅ）になるので、この場合、アンテナＡのＣＮ比が良好であると判定される。上記仮定のとおり、アンテナＡのＣＮ比が９、アンテナＢのＣＮ比が３であるから、この判定結果は正しい。
【００７４】
ところで、ガードインターバル内積算期間Σａの積算結果（第１移動平均積算値：ＡI 、ＢI ）は、ガードインターバル期間の情報と、そのガードインターバル期間に続く有効シンボル期間の後部の情報との移動平均積算値であり、両情報は元々同一のものである（したがって、相関性がある）ので、この第１移動平均積算値（ＡI 、ＢI ）は当然ながら高い値を示す。
【００７５】
一方、ガードインターバル外積算期間Σｂの積算結果（第２移動平均積算値：ＡO 、ＢO ）は、有効シンボル期間Ｔｕからマージン期間Ｍを除いた期間における非遅延シンボルと遅延シンボルとの積算結果であり、非遅延シンボルと遅延シンボルのそれぞれの有効シンボル期間Ｔｕの情報は異なるので、通常は両者（非遅延シンボルと遅延シンボルのそれぞれの有効シンボル期間の情報）の間に相関性は見られないはずである。
【００７６】
しかし、本件発明者等の実験によれば、伝送路の変動によって強い白色雑音（マルチパスによる影響は多くのキャリア間の符号干渉であるから白色雑音とみなせる）が加えられた場合には、たとえ、ガードインターバル外積算期間Σｂであっても、時としてある程度の相関性を生じることが見出された。
【００７７】
その理由は、次のとおりと推測される。今、有効シンボルに元々含まれている情報を「真情報」ということにする。マルチパスがない（白色雑音がない）場合は、非遅延シンボルと遅延シンボルのそれぞれの有効シンボルに類似の情報（真情報）が含まれていても、ガードインターバル外積算期間Σｂの積算結果（第２移動平均積算値：ＡO 、ＢO ）が大きくなることはない。上記のとおり、非遅延シンボルと遅延シンボルのそれぞれの有効シンボル期間Ｔｕの情報が異なるからである。しかし、白色雑音によって発生した情報（以下、偽情報）が上記の真情報に加えられたときには、確率論的に、偽情報を真情報と誤認することがあり、その誤認の度合いに対応して、ガードインターバル外積算期間Σｂの積算結果（第２移動平均積算値：ＡO 、ＢO ）が高い値を示すものと考えられる。
【００７８】
このように、従来は「相関性がない」と半ば常識的に捉えられていた非遅延シンボルと遅延シンボルのそれぞれの有効シンボル期間Ｔｕであるが、本件発明者等は、マルチパスの大きさによっては見かけ上、相関性を示すことがあることに着目し、その現象を利用して伝送路の状況を把握すれば、たとえ、有効シンボル期間であっても選択ダイバシティのアンテナ切替判定を行うことができることに着想したものである。
【００７９】
すなわち、先の図７（ｂ）に示すように、ＣＮ比が悪化する（ＣＮが小さくなる）につれてガードインタバル内積算値Σａとガードインターバル外積算値Σｂの比率Ｘ（ＡI ／ＡO またはＢI ／ＢO ）が小さくなるので、その比率Ｘから擬似的に信号状態を知ることができる。したがって、アンテナ切替制御回路６で、上記の積算（第１移動平均積算値及び第２移動平均積算値の演算）と比率Ｘの演算をアンテナＡとアンテナＢの各々について行い、アンテナＡの比率Ｘ（ＡI ／ＡO ）とアンテナＢの比率Ｘ（ＢI ／ＢO ）とを比較して、前者が大きければアンテナＡのＣＮ比が良好、後者が大きければアンテナＢのＣＮ比が良好であると判定し、その判定結果に応じて、必要であればアンテナ切換のための信号（アンテナ切替制御信号ＳＥＬ）をアンテナ切替回路５に出力するように構成すればよい。
【００８０】
以上のとおりであるから、実施形態によれば、ガードインターバル期間Ｔｇ以外の有効シンボル期間Ｔｕにおいても、比率Ｘ（ＡI ／ＡO 及びＢI ／ＢO ）に基づいて伝送路状態の良否判定（ＣＮ比の良否判定に相当）を行うことができ、有効シンボル期間Ｔｇ内で急に伝送路の状態が変化した場合であっても、それに即座に対応することができる。したがって、瞬時的なシンボル喪失を招くことがない。しかも、本実施形態の技術と従来技術（ガードインターバル期間Ｔｇのみの伝送路状態の良否判定）とを組み合わせることにより、シンボルのほぼ全期間にわたって伝送路状態の良否判定を行うことができるようになり、より一層確実な瞬時的シンボル喪失の対策を講じることができる。
【００８１】
なお、図６（ｂ）のステップＳ９における評価式「ＡI ×ＢO ＞ＢI ×ＡO 」は、前記のとおり、ＡI にＢO なる重み値を乗じたものと、ＢI にＡO なる重み値を乗じたものとを比較して前者が大きい場合に真（Ｔｒｕｅ）、そうでない場合に偽（Ｆａｌｓｅ）とするものである。この重み値を用いた評価式を使用しても、比率による評価式「ＡI ／ＡO ＞ＢI ／ＢO 」と同等の結果を得ることができる。
【００８２】
その理由は、ＣＮ比が良好な場合はＡI 又はＢI が大きな値を示し且つＡO 又はＢO が小さな値を示す一方、ＣＮ比が悪い場合はＡI 又はＢI が小さな値を示し且つＡO 又はＢO が大きな値を示すからであり、このため、比率による評価式「ＡI ／ＡO ＞ＢI ／ＢO 」と同様に、アンテナＡのＣＮ比が良好であれば、評価式「ＡI ×ＢO ＞ＢI ×ＡO 」の結果が真（Ｔｒｕｅ）となり、その逆にアンテナＢのＣＮ比が良好であれば、評価式「ＡI ×ＢO ＞ＢI ×ＡO 」の結果が偽（Ｆａｌｓｅ）となるからである。いずれの評価式（比率によるもの／重み値によるもの）を用いるかは、もっぱらシステムの要求性能等の兼ね合いで決定すればよい。
【００８３】
これら二つの評価式（「ＡI ／ＡO ＞ＢI ／ＢO 」と「ＡI ×ＢO ＞ＢI ×ＡO 」）の共通点は、いずれもガードインターバル期間Ｔｇの相関情報（ＡI 及びＢI ）と非ガードインターバル期間Ｔｇ（すなわち有効シンボル期間Ｔｕ）の相関情報（ＡO 及びＢO ）の両方を持つことにある。ガードインターバル期間Ｔｇの相関情報（ＡI 及びＢI ）は、たとえば、冒頭の特許文献１にも見られるように従来からＣＮ比判定に利用されていたが、非ガードインターバル期間Ｔｇ（すなわち有効シンボル期間Ｔｕ）の相関情報（ＡO 及びＢO ）を利用するという考え方は今までなかった。非遅延シンボルと遅延シンボルの有効シンボル期間Ｔｕの情報が異なっていたためである。
【００８４】
したがって、従来行われていたＣＮ比判定は、ガードインターバル期間Ｔｇの相関情報（ＡI 及びＢI ）のみに基づくものであるので、分かりやすく書けば、式「ＡI ＞ＢI 」を評価して、その結果がＴｒｕｅであれば一方のアンテナのＣＮ比が良好、Ｆａｌｓｅであれば他方のアンテナのＣＮ比が良好であると判定しているということができる。この評価式（「ＡI ＞ＢI 」）の欠点は、非ガードインターバル期間Ｔｇ（すなわち有効シンボル期間Ｔｕ）における伝送路状態の急変にまったく対処できないことにある。
【００８５】
これに対して、上記実施形態では、ガードインターバル期間Ｔｇの相関情報（ＡI 及びＢI ）のみならず、非ガードインターバル期間Ｔｇ（すなわち有効シンボル期間Ｔｕ）の相関情報（ＡO 及びＢO ）も加味した評価式（「ＡI ／ＡO ＞ＢI ／ＢO 」又は「ＡI ×ＢO ＞ＢI ×ＡO 」）を使用するので、非ガードインターバル期間Ｔｇ（すなわち有効シンボル期間Ｔｕ）の相関情報（ＡO 及びＢO ）に基づいて、非ガードインターバル期間Ｔｇ（すなわち有効シンボル期間Ｔｕ）における伝送路状態の急変をも把握することが可能になる。
【００８６】
つまり、非ガードインターバル期間Ｔｇ（すなわち有効シンボル期間Ｔｕ）における伝送路状態の急変が生じた場合には、「ＡO 」と「ＢO 」の値が変化するので、速やかにその急変状態に対応した所要の対策（選択ダイバシティアンテナのアンテナ切り替え）を講じることが可能になるのである。
【００８７】
このように、実施形態は、従来技術と明らかな構成上の違いがあり、且つ、その違いにより、非ガードインターバル期間Ｔｇ（すなわち有効シンボル期間Ｔｕ）における伝送路状態の急変にも速やかに対処できる点で、従来技術と比べて格別の優位性がある。
【図面の簡単な説明】
【００８８】
【図１】ＯＦＤＭ受信装置の構成図である。
【図２】図１に示すＯＦＤＭ受信装置の詳細構成図である。
【図３】アンテナ切替制御部６の構成図である。
【図４】積算期間の説明図である。
【図５】積算の概念図である。
【図６】アンテナ切替制御部６の動作フローチャートを示す図（ａ）及び他の評価式の例を示す図（ｂ）である。
【図７】第１及び第２移動平均積算値の演算結果の一例を示す図（ａ）及び比率ＸとＣＮ比との関係を示す図（ｂ）である。
【図８】ガードインターバルの概念図（ａ）及び従来技術におけるガードインターバル情報の利用概念図（ｂ）である。
【符号の説明】
【００８９】
ＡI   第１移動平均積算値（第１の積算値）
ＡO   第２移動平均積算値（第２の積算値）
ＢI   第１移動平均積算値（第３の積算値）
ＢO   第２移動平均積算値（第４の積算値）
Ｔ  シンボル期間
Ｔ−Ｔｇ  所定時間
Ｔｕ  有効シンボル期間
Ｔｇ  ガードインターバル期間
Ｘ  比率
１  ＯＦＤＭ受信装置
２ａ  アンテナ
２ｂ  アンテナ
４ａ  アンテナ接続端子
４ｂ  アンテナ接続端子
５  アンテナ切替回路（アンテナ切替手段）
１５  シンボル同期部（非遅延シンボル出力手段、遅延シンボル出力手段、
シンボル同期生成手段）
１６  クロック発生部（同期クロック生成手段）
２１  フレームデコード部（フレームナンバー生成手段）
２７  ＧＩタイミング生成部（記憶手段、判断手段）
３０  第１移動平均積算値計算部（第１の演算手段、第１の積算手段、
第３の積算手段）
３１  第２移動平均積算値計算部（第２の演算手段、第２の積算手段、
第４の積算手段）
３４  アンテナ切替判定部（判定手段、アンテナ切替判断手段、比較手段）
３５  アンテナ切替信号発生部（アンテナ選択手段）
【図１】
0004692761.tif 000002
【図２】
0004692761.tif 000003
【図３】
0004692761.tif 000004
【図４】
0004692761.tif 000005
【図５】
0004692761.tif 000006
【図６】
0004692761.tif 000007
【図７】
0004692761.tif 000008
【図８】
0004692761.tif 000009